(57)【特許請求の範囲】
【請求項１】
遊技機設置島に固定される外枠と、該外枠に対して一側辺を軸支されて開閉自在に設けられる枠基体と、該枠基体に対して一側辺を軸支されて開閉自在に設けられ且つ遊技盤の前方を覆う透明板の透明板保持枠と、前記枠基体と透明板保持枠との開放側の施錠を選択的に解錠する施錠装置と、を備えた弾球遊技機において、
前記透明板保持枠の横幅寸法を前記枠基体の横幅寸法とほぼ同じとなるように形成すると共に、該透明板保持枠の裏面の下辺を除く外周縁に先端辺部が後方に突出するＬ形金属が固着され、そのＬ形金属のうち開放側のＬ形金属の上下に係合フック部が後方に向かって一体的に形成され、
前記枠基体には、その表面に前記Ｌ形金属の先端辺部が侵入する防犯溝を形成すると共に前記係合フック部が貫通するフック連通穴が形成される一方、その裏面側に前記係合フック部と係脱することにより前記枠基体と透明板保持枠との施錠・解錠を行い且つ前記外枠の内側上下に固定される係止金具と係脱することにより前記枠基体と前記外枠との施錠・解錠を行う前記施錠装置が固着されると共に、前記透明板保持枠の下方であって前記枠基体の開放側端部に鍵穴を形成し前記施錠装置の鍵を挿入操作し得る錠部材を該鍵穴に臨ませ、
前記施錠装置は、取付基板と、該取付基板にスライド移動可能に取り付けられる第１可動部材および第２可動部材とを備え、
前記取付基板には、前記係合フック部が貫通する連通口と該連通口の下方に前記錠部材が挿入される錠挿入口とを開設し、
前記錠部材に挿入された鍵を一方向に回動することにより前記第１可動部材のスライド移動によって該第１可動部材の上下に設けられる係止部と前記外枠の係止金具との係合を解除して前記枠基体の前記外枠に対する施錠状態を解錠し、他方向に回動することにより前記第２可動部材のスライド移動によって該第２可動部材に形成される係合開口と前記係合フック部との係合を解除して前記透明板保持枠の前記枠基体に対する施錠状態を解錠するように構成されると共に、少なくとも前記透明板保持枠の解錠操作時に、前記係合開口の開口縁に湾曲状に形成される誘導部が前記第２可動部材のスライド移動に伴って前記係合フック部に形成される傾斜辺と当接しながら前記透明板保持枠を開放する方向に押し出すようにしたことを特徴とする弾球遊技機。
【請求項２】
前記透明板保持枠は、その開放側端部以外の下部においても施錠機構によって施錠されることを特徴とする請求項１記載の弾球遊技機。
【発明の詳細な説明】
【０００１】
【産業上の利用分野】
本発明は、遊技機設置島に固定される外枠と、該外枠に対して一側辺を軸支されて開閉自在に設けられる枠基体と、該枠基体に対して一側辺を軸支されて開閉自在に設けられ且遊技盤の前方を覆う透明板の透明板保持枠と、前記枠基体と透明板保持枠との開放側の施錠を選択的に解錠する施錠装置と、を備えた弾球遊技機に関するものである。
【０００２】
【従来の技術】
従来、弾球遊技機、例えば、パチンコ遊技機においては、外枠に対して枠基体（前面枠と称される場合が多い）が開閉自在に設けられると共に、該枠基体の開口縁に周設された扉保持枠に透明板保持枠（ガラス扉枠と称される場合が多い）が開閉自在に設けられる。そして、それぞれの軸支側は、共に左側であり、右側の開放側を１つの施錠装置によってそれぞれ施錠・解錠を行うように構成されていた。具体的には、施錠装置の鍵を挿入し得る錠部材を扉保持枠の側方であって枠基体の細い枠部に臨ませ、錠部材に鍵を挿入した状態で、鍵を一方向に回動することにより枠基体の外枠に対する施錠状態を解錠し、他方向に回動することにより透明板保持枠の枠基体に対する施錠状態を解錠するように構成されていた。
【０００３】
【発明が解決しようとする課題】
しかして、枠基体の解錠操作をする場合には、特に問題はないが、透明板保持枠を解錠操作する場合には、鍵を他方向に回動したときに解錠された透明板保持枠が鍵を回動操作している手に当り、操作しずらいという欠点があった。本発明は、上記した事情に鑑みなされたもので、その目的とするところは、透明板保持枠の解錠操作の操作性を高めることが可能な弾球遊技機を提供することにある。
【０００４】
【課題を解決するための手段】
上記した目的を達成するために、本発明においては、
遊技機設置島に固定される外枠と、該外枠に対して一側辺を軸支されて開閉自在に設けられる枠基体と、該枠基体に対して一側辺を軸支されて開閉自在に設けられ且つ遊技盤の前方を覆う透明板の透明板保持枠と、前記枠基体と透明板保持枠との開放側の施錠を選択的に解錠する施錠装置と、を備えた弾球遊技機において、
前記透明板保持枠の横幅寸法を前記枠基体の横幅寸法とほぼ同じとなるように形成すると共に、該透明板保持枠の裏面の下辺を除く外周縁に先端辺部が後方に突出するＬ形金属が固着され、そのＬ形金属のうち開放側のＬ形金属の上下に係合フック部が後方に向かって一体的に形成され、
前記枠基体には、その表面に前記Ｌ形金属の先端辺部が侵入する防犯溝を形成すると共に前記係合フック部が貫通するフック連通穴が形成される一方、その裏面側に前記係合フック部と係脱することにより前記枠基体と透明板保持枠との施錠・解錠を行い且つ前記外枠の内側上下に固定される係止金具と係脱することにより前記枠基体と前記外枠との施錠・解錠を行う前記施錠装置が固着されると共に、前記透明板保持枠の下方であって前記枠基体の開放側端部に鍵穴を形成し前記施錠装置の鍵を挿入操作し得る錠部材を該鍵穴に臨ませ、
前記施錠装置は、取付基板と、該取付基板にスライド移動可能に取り付けられる第１可動部材および第２可動部材とを備え、
前記取付基板には、前記係合フック部が貫通する連通口と該連通口の下方に前記錠部材が挿入される錠挿入口とを開設し、
前記錠部材に挿入された鍵を一方向に回動することにより前記第１可動部材のスライド移動によって該第１可動部材の上下に設けられる係止部と前記外枠の係止金具との係合を解除して前記枠基体の前記外枠に対する施錠状態を解錠し、他方向に回動することにより前記第２可動部材のスライド移動によって該第２可動部材に形成される係合開口と前記係合フック部との係合を解除して前記透明板保持枠の前記枠基体に対する施錠状態を解錠するように構成されると共に、少なくとも前記透明板保持枠の解錠操作時に、前記係合開口の開口縁に湾曲状に形成される誘導部が前記第２可動部材のスライド移動に伴って前記係合フック部に形成される傾斜辺と当接しながら前記透明板保持枠を開放する方向に押し出すようにしたことを特徴とするものである。
【０００５】
前記透明板保持枠は、その開放側端部以外の下部においても施錠機構によって施錠されることにより、透明板保持枠と枠基体との隙間から不正具を挿入して行う不正遊技を防止できる点で有利である。
【０００６】
【作用】
透明板保持枠の横幅寸法を枠基体の横幅寸法とほぼ同じとなるように形成すると共に、透明板保持枠の下方であって枠基体の開放側端部に施錠装置の鍵を挿入操作し得る錠部材を臨ませたので、透明板保持枠の開放位置と鍵の操作位置とが上下段差状となって異なることとなり、透明板保持枠の開放時に鍵を操作している手に透明板保持枠が当ることがなく、操作性を高めることができる。そして、少なくとも透明板保持枠の解錠操作時に、係合開口の開口縁に湾曲状に形成される誘導部が第２可動部材のスライド移動に伴って係合フック部に形成される傾斜辺と当接しながら透明板保持枠を開放する方向に押し出すようにしたことにより、さらに透明板保持枠の開放操作を簡単に行う点で有利である。
【０００７】
【実施例】
以下、図面を参照して、本発明の実施例について説明する。まず、実施例の要部を構成する施錠装置２００を有する弾球遊技機１の構成について図１乃至図６を参照して説明する。図１は、弾球遊技機１の正面図であり、図２は、枠基体２及び透明板保持枠５０を開放した状態であって透明板保持枠５０から複層ガラスセット７２を取り外した状態を示す斜視図であり、図３は、枠基体２の分解斜視図であり、図４は、透明板保持枠５０の背面から見た分解斜視図であり、図５は、前面上皿装置８０の正面分解斜視図であり、図６は、透明板保持枠５０の下部における施錠・解錠状態を示す概略断面図である。
【０００８】
（１）弾球遊技機の全体構造
本実施例における弾球遊技機１としては、弾発された打玉が遊技盤４０に形成された入賞口や入賞球装置に入賞した入賞玉に基づいて所定個数の景品玉を払い出す形式のパチンコ遊技機を図示したものであるが、弾発された打玉が遊技盤に設けられる複数の入球口に入球して、その入球口の組合せによって得点が与えられ、その得点に応じた景品玉が払い出される形式の弾球遊技機（属にアレンジ遊技機と称される）であってもよい。しかして、弾球遊技機１は、図２に示すように、図示しない遊技機設置島に固定される縦長な方形状に枠組み形成される外枠３０と、該外枠３０の一側に開閉自在に軸支され且つ弾球遊技機１の主要構成部のほぼすべてが集約して設けられる枠基体２と、該枠基体２の前面上部に開閉自在に設けられる透明板保持枠５０、枠基体２の前面下部に開閉自在に設けられる前面上皿装置８０と、枠基体２の最下部前方に取り付けられる下皿１３０及びハンドル装置１５０と、から構成されている。
【０００９】
（１−１）外枠
外枠３０は、木製の板材を枠組み構成することにより形成され、その一側上下に固着される軸支用金具３２（図２には、上部の軸支用金具３２のみを図示したが、下部の軸支用金具３２は、次に説明する当て板３３の上部に固着される）に枠基体２が開閉自在に軸支される。また、外枠３０の下部前面には、閉じたときに枠基体２の下辺部を載置する当て板３３が固定されている。更に、外枠３０の開放側の内側上下には、後に詳述する施錠装置２００と係脱して枠基体２を閉じたり開放したりするための係止金具３１が固着されている。この係止金具３１と施錠装置２００との関係については、後に詳述する。なお、当て板３３を含む外枠３０を木製の板材ではなく、合成樹脂によって一体成型又は別体に成型して組み立てて構成しても良い。
【００１０】
（１−２）枠基体
上記した外枠３０に開閉自在に取り付けられる枠基体２は、合成樹脂によって一体成型されるものであり、図３に示すように、その上部にほぼ正方形状の開口部３が形成され、その下部が板状となっている。つまり、枠基体２は、従来の合板によって形成された前面枠とほぼ同等のものであるが、従来の前面枠と相違する点は、枠基体２の裏面であって遊技盤４０を収納固定する遊技盤収納枠４（図３参照）が枠基体２と一体的に形成されている点である。即ち、従来の前面枠と遊技盤収納枠との関係においては、木製の前面枠の裏面に合成樹脂製の遊技盤収納枠を固着しているのに対し、本実施例における枠基体２は、前面枠に相当する部分も合成樹脂で形成されているので、遊技盤収納枠４を含む全体を合成樹脂によって一体成型したものであり、これによって工場における組み付け作業の簡略化を達成することができるものである。
【００１１】
ところで、上記遊技盤収納枠４の下方部分も板状に形成されており、その一側上部に上皿連通口５が形成され、該上皿連通口５の下部前方に溢れ玉誘導部材６が取着される。溢れ玉誘導部材６の下流側前方には、抜き玉連通口７が形成されている。この抜き玉連通口７は、後述する前面上皿装置８０に貯留されていた玉であって玉抜きされた玉が溢れ玉誘導部材６の内部に流入するための流入口である。また、溢れ玉誘導部材６は、前面上皿装置８０を開放したときに前記上皿連通口５から溢れた玉や抜き玉連通口７から流入した玉を遊技盤収納枠４の下方の板状部分のほぼ中央に形成された下皿誘導口（図示しない）から裏面側に導いて後述する下皿１３０に導くものである。
【００１２】
また、遊技盤収納枠４の下方の板状部分の前面であって前記溢れ玉誘導部材６の側方には、発射点レール８が固着されている。この発射点レール８は、前面上皿装置８０から１個宛供給される打玉を下流端に形成される発射点で受け止めて図示しない発射装置で弾発するために設けられるものである。そして、発射点レール８の上流端と遊技盤４０に設けられる誘導レール４１の下流端との間にファール口が形成され、遊技盤４０の遊技領域に到達することなく戻ってきた打玉がファール口から前記溢れ玉誘導部材６に受け入れられて最終的に下皿１３０に導かれるものである。
【００１３】
一方、図３に示すように、枠基体２の前面枠部分において、前記開口部３に対応する枠部の外周縁には、透明板保持枠５０の下辺を除く３辺から後方に突出するように設けられる後述するＬ形金属６１〜６３の先端辺部が突入係合する防犯溝９が形成されている。また、枠基体２の中程左右に検出器取付穴１０，１１が貫通形成されている。この検出器取付穴１０，１１は、その裏面から検出器を取り付けるものであり、例えば、軸支側に形成される検出器取付穴１０には、検出器のアクチュエータが前面側に突出しており、透明板保持枠５０を開放したときに検出器がＯＦＦとなるようになっている。この検出器は、高電圧が供給される後述する第１装飾部材５２によって被覆される蛍光管の回路途中に挿入されるものであり、透明板保持枠５０を開放したときに蛍光管への電流の供給が停止されて開放時の安全を確保している。また、開放側に形成される検出器取付穴１１には、図示の実施例では検出器が設けられていないが、設けるとすれば、例えば、透明板保持枠５０を僅かに開放してセル板やピアノ線等の不正具を挿入する不正行為を検出するための不正開放検出器等が考えられる。
【００１４】
更に、枠基体２の前面枠部分の開口部３に対応する部分には、軸支側上部に配線通し穴１２、開放側上下にフック連通穴１３、左右中程に干渉回避凹部２６、軸支側の中程上下にヒンジ取付凹部２７，２８、透明板保持枠５０の下方であって枠基体２開放側端部に鍵穴１４がそれぞれ形成されている。配線通し穴１２は、透明板保持枠５０に設けられる後述する電装部品から延びる配線を枠基体２の裏面側に通すものである。また、フック連通穴１３は、透明板保持枠５０の開放側に設けられる係合フック部６４を後方に貫通させて施錠装置２００の係合開口２３３と係合させるものである。干渉回避凹部２６は、透明板保持枠５０を閉じたときに蛍光管を被覆する円弧状の蛍光管カバーの一部との当接状態を回避するためのものであり、このため、干渉回避凹部２６は、円弧状に刻設されている。また、鍵穴１４には、施錠装置２００のシリンダー錠２１９が挿入されるものである。なお、枠基体２の開放側の裏面側辺には、本実施例の要部を構成する施錠装置２００が固着されるようになっている。この施錠装置２００は、外枠３０に対する枠基体２の施錠、及び枠基体２に対する透明板保持枠５０の施錠を司るものである。施錠装置２００については、後に詳述する。
【００１５】
（１−３）遊技盤
前記遊技盤収納枠４に収納固定される遊技盤４０の構成について簡単に説明する。遊技盤４０は、ほぼ正方形状の合板により形成され、その表面には、円形うず巻き状に誘導レール４１が形成され、該誘導レール４１の内側が遊技領域とされて発射された打玉が落下するものである。遊技領域には、図示の場合、可変表示装置４２や可変入賞球装置４３が設けられると共に、単に打玉を入賞とする入賞口、打玉の流下方向・速度を変化せしめる風車又は多数の障害釘が設けられ、また、遊技領域の最下方には、いずれの入賞領域にも入賞しない打玉が取り込まれるアウト口４４が設けられている。
【００１６】
（１−４）透明板保持枠
枠基体２に対して開閉自在に設けられる透明板保持枠５０の構成について説明すると、円形状の開口が形成される主枠構成部材５１と、該主枠構成部材５１の開口に沿って周設される第１装飾部材５２と、第１装飾部材５２の下部前面に取り付けられる下部装飾部材５４と、第１装飾部材５２の左右前面に取り付けられる熊の手状の左右装飾部材５６，５７と、第１装飾部材５２の上部前面に取り付けられ且つ左右両端が上方に延設されてスピーカ取付部５９が形成される上部装飾部材５８と、スピーカ取付部５９に挟まれ且つ主枠構成部材５１の上部前面に取り付けられるＬＥＤカバー６０と、から構成されている。主枠構成部材５１及び装飾部材５２，５４，５６，５７，５８，６０は、すべて合成樹脂成型によって形成されている。なお、主枠構成部材５１は、図４に示すように左右２つに分割されて成型されたものを組み付けることにより構成され、その横幅寸法は、前記枠基体２の横幅寸法とほぼ同じである。したがって、正面から見たときには、透明板保持枠５０に対応する部分の枠基体２は、図１に示すように遊技者から視認することはできない。
【００１７】
上記した第１装飾部材５２は、遊技盤４０の遊技領域とほぼ同じ大きさの開口である遊技開口５３を規制するものであると共に、その左右両側の内部には、円弧状の蛍光管を収納するものであり、この蛍光管は、遊技状態に応じて点滅又は点灯制御されるものである。また、下部装飾部材５４の下方部は、正面から見たときに図１に示すように前面上皿装置８０の取付板部材８１の上部と重複するようになっているが、その重複状態の違和感をなくすために下部装飾部材５４の下部に凹部５５が形成され、該凹部５５と前面上皿装置８０の上部表面に固定される上部装飾部材１０３を嵌め合わせることにより、意匠的に連続する印象を遊技者に与えるようになっている。なお、この下部装飾部材５４は、第１装飾部材５２の裏面に取り付けられる補強金具７７と一体的に止着されるものであるが、その補強金具７７には、後方に向かって下部係止フック７８が突設され、図６に示すように、透明板保持枠５０を閉じたときに、下部係止フック７８が前面上皿装置８０の取付板部材８１の上部に開設される係合用貫通穴９１を貫通してスライド可能に設けられるスライド板９９の係合穴１００に係合するようになっている。これにより、透明板保持枠５０の下方部分を強制的に手前に引き付けて隙間を作り、その隙間から透光性板やピアノ線等を差し込んで行う不正遊技を確実に防止することができる。
【００１８】
また、上部装飾部材５８のスピーカ取付部５９の内部には、スピーカが内蔵されて、この左右２つのスピーカで遊技者の頭部に向けて遊技状態に応じたステレオ効果音を発生させて弾球遊技機に高級感を持たせている。更に、ＬＥＤカバー６０の内部には、多数のＬＥＤが設けられたＬＥＤ基板が収納され、前記蛍光管と同様に遊技状態に応じて点灯又は点滅、あるいは点灯移動表示される。
【００１９】
一方、透明板保持枠５０の裏面側においては、図４に示すように、その周縁にＬ形金属６１〜６３が固着され、その先端辺部が主枠構成部材５１の後端縁よりも外側に突出するようになっている。そして、その突出した先端辺部が前記防犯溝９に侵入するようになっている。また、主枠構成部材５１の一側辺（開放側）に固着されるＬ形金属６３には、後述する施錠装置２００と係合する係合フック部６４が後方に向かって一体的に形成されている。また、透明板保持枠５０の裏面側においては、主枠構成部材５１の左右上部に補強金属板６５，６６が止着され、そのうち、軸支側の補強金属板６６には、ヒンジピン６８が挿入される支持筒６７が一体的に形成されている。しかして、支持筒６７に挿入されるヒンジピン６８は、スプリング６９により常時上方向に向けて付勢されている。更に、軸支側の下部には、係合穴７０ａを有する軸支部材７０が止着されている。
【００２０】
また、図２に示すように、前記第１装飾部材５２の裏面にガラス取付支持部材７１が突設固着されている。このガラス取付支持部材７１に透明板としての２枚のガラス７６をガラス収納部材７３で一体化した複層ガラスセット７２を取り付けるわけであるが、その取り付けは、ガラス収納部材７３の上下左右に突設される取付片部７４にガラス取付支持部材７１を貫通させ、取付片部７４に止着される止め金具７５を回動してガラス取付支持部材７１に形成される係合溝（図示しない）に係止することにより簡単に行うことができる。また、複層ガラスセット７２の取り外しも上記したと逆の操作を行うことにより極めて簡単に行うことができる。
【００２１】
（１−５）前面上皿装置
上記した透明板保持枠５０と同様に枠基体２に対して開閉自在に設けられる前面上皿装置８０の構成について図５及び図６を参照して説明すると、前面上皿装置８０は、合成樹脂製の取付板部材８１の表面に合成樹脂製の皿部材１２０を固着することにより構成されている。取付板部材８１は、ほぼ長方形の平面板状に形成され、その上部が前記透明板保持枠５０の下部装飾部材５４部分が侵入するように凹状に形成された凹部９０となっている。その凹部９０の中央部分は、下部装飾部材５４の裏面側と前後に重複する重複部となっている。また、取付板部材８１の表面には、その前面側に皿部材１２０及び装飾補強板１０６の後端当接外周縁に沿った形状の取付用凹部８２が形成されている。この取付用凹部８２は、その上部が装飾補強板１０６に対応する部分であり、その下部が皿部材１２０に対応する部分である。しかして、取付板部材８１の表面に装飾補強板１０６を取り付ける際には、上部の取付用凹部８２に嵌め込むようにすれば、簡単に位置決めが行え、その取付作業が簡単であり、また、皿部材１２０を取り付ける際にも、下部の取付用凹部８２に嵌め込めば、皿部材１２０の取付板部材８１に対する位置決めも簡単に行うことができる。これも、取付板部材８１を従来の金属板に代えて合成樹脂で成型したため、容易に取付用凹部８２を成型することができるからである。
【００２２】
ところで、上記した取付用凹部８２内には、多数の開口が開設されているが、これについて説明すると、その左側やや上部に長方形状の上皿連通口８３がが開設され、その左右上部であって前記凹部９０の左右両側には、窓８４，８５が開設され、右側の窓８５の下方に玉抜きレバー動作枠８６が凹設されている。また、前記重複部のほぼ中央には、前述した下部係止フック７８が貫通する係合用貫通穴９１が形成されている。更に、前記玉抜きレバー動作枠８６の下方に玉送り部材用取付穴８７が開設され、その側方に玉抜きレバー連結穴８８が開設され、ほぼ中央に玉抜き穴８９が開設されている。
【００２３】
上記した開口について順次説明すると、上皿連通口８３は、枠基体２に形成される前記上皿連通口５に対応するものであり、上皿連通口８３の裏面側に取りつけられる玉誘導部材９２によって上皿連通口５と上皿連通口８３とが連絡されるようになっている。窓８４，８５は、遊技盤４０の下部両端部の前方に位置し、遊技盤４０に貼付される各種のシールや証明のためのシールを覗き見ることができるものである。玉抜きレバー動作枠８６には、操作レバー９４が摺動自在に収納されるものであり、また、玉送り部材用取付穴８７は、皿部材１２０の下流端部に着脱自在に取り付けられる図示しない玉送り部材を貫通させるための穴である。また、玉抜きレバー連結穴８８は、玉抜き弁１０１に突設される連結突片１０２を後方に貫通させるものであり、玉抜き穴８９は、その玉抜き弁１０１が動作されたときに皿部材１２０の裏面に形成される玉抜き通路（図示しない）を流下する玉を前記溢れ玉誘導部材６の抜き玉連通口７に放出するものである。
【００２４】
前記取付用凹部８２内には、その上部に透明板保持枠５０の前記下部装飾部材５４に連続する上部装飾部材１０３が取り付けられるものであり、その下部に装飾補強板１０６が取り付けられるものであり、また、取付用凹部８２の左右両側に皿部材１２０が取り付けられるものであり、皿部材１２０の中間に突設される突起部１０５と皿部材１２０との間には、着座部材１０４が取り付けられる。
【００２５】
前記装飾補強板１０６は、取付板部材８１の前面に積層的に取り付けられるものであるが、その上辺部が凹状の円弧状凹部１０７を有する板状に成型されている。また、装飾補強板１０６には、前記取付板部材８１の上皿連通口８３、窓８４，８５、玉抜きレバー動作枠８６、玉送り部材用取付穴８７、玉抜きレバー連結穴８８、玉抜き穴８９にそれぞれ対応する上皿連通口１０８、窓１０９，１１０、玉抜きレバー操作開口１１１、玉送り部材用切欠部１１２、玉抜きレバー連結穴１１３、玉抜き穴１１４が開設させている。窓１０９，１１０と取付板部材８１の窓８４，８５との間には、透明部材９３が挿入され、該透明部材９３の前方楕円レンズ部の一部が窓１０９，１１０に嵌合して固定されるようになっている。また、玉抜きレバー操作開口１１１には、前記操作レバー９４が臨むようになっている。また、装飾補強板１０６には、上記した以外に前記玉抜きレバー連結穴１１３のやや上部に金属板挿入孔１１６が穿設され、上辺が直角に折曲された摩耗防止用金属板１１５が装着される。このように装着される摩耗防止用金属板１１５は、皿部材１２０を装着したときに、皿部材１２０を一列となって流下する打玉による側壁部分の摩耗を防止するために装着されるものである。なお、装飾補強板１０６の取付板部材８１への積層は、左右両端部が前記取付用凹部８２に嵌合されると共に、取付板部材８１に突設される係合ボス１１８に装飾補強板１０６に突設される嵌合取付ボス１１７を挿入することにより、相互の位置決めが正確に行われて積層される。
【００２６】
前記玉抜きレバー動作枠８６には、玉抜き装置が設けられる。即ち、玉抜きレバー動作枠８６には、楕円形状の操作レバー９４が対応して設けられる。操作レバー９４には、前方に指を掛ける指掛部９５が突設されると共に裏面側に２本の連結ボス９６とコイルスプリング（図示しない）の一端部を収納するスプリング収納部とが突設形成されている。連結ボス９６は、玉抜きレバー動作枠８６に形成される長穴を貫通して取付板部材８１の裏面に達してその先端に作動部材９７とスライド板９９とが止着される。また、スプリング収納部材には、図示しないコイルスプリングの一端が収納されるが、そのコイルスプリングの他端部は、玉抜きレバー動作枠８６の端部に当接される。そして、操作レバー９４は、コイルスプリングの付勢力により常時一方向（正面から見て図示右方向）に付勢されている。
【００２７】
一方、操作レバー９４の連結ボス９６の端部には、取付板部材８１の裏面側で作動部材９７とスライド板９９とが同時にビスで取り付けられる。作動部材９７の先端部は、下方に向かって曲折された作動突起９８となっており、この作動突起９８が前記玉抜きレバー連結穴８８の裏面側に臨んでいる。玉抜きレバー連結穴８８には、玉抜き弁１０１に突設される２条の連結突片１０２が貫通されるものであり、その２条の連結突片１０２によって作動突起９８が挟まれることにより作動部材９７と玉抜き弁１０１とが連結され、引いては、玉抜き弁１０１と操作レバー９４と連結されることとなる。玉抜き弁１０１は、前面上皿装置８０に貯留された玉を抜き出して下皿１３０に導くものである。このため、遊技者が操作レバー９４をコイルスプリングの付勢力に抗して移動させることにより玉抜き弁１０１が動作して前面上皿装置８０に貯留されていた玉を下皿１３０に向けて玉抜きすることができる。
【００２８】
一方、操作レバー９４の連結ボス９６に連結されるスライド板９９においては、その先端部に係合穴１００が穿設されている。係合穴１００は、前記係合用貫通穴９１を貫通して挿入される前記下部係止フック７８と係合するようになっている。しかして、このスライド板９９の作用について図６を参照して説明すると、図６（Ａ）に示すように、透明板保持枠７０が閉じている状態においては、下部係止フック７８が係合用貫通穴９１を貫通してスライド板９９の係合穴１００に係合した状態となっている。そのような状態で透明板保持枠７０を開放する必要が生じたときに、まず、後述する施錠装置２００を操作して透明板保持枠７０の開放側端部の施錠を解除すると同時に操作レバー９４を操作してスライド板９９を移動させることにより、図６（Ｂ）に示すように、係合穴１００と下部係止フック７８との係合状態を解除することができるので、透明板保持枠７０を開放することができる。一方、透明板保持枠７０を閉じるときには、透明板保持枠７０の開放側及び下部を強制的に押圧することによりそれぞれ施錠又は係合させることができる。なお、本実施例では、透明板保持枠７０を開放する毎に操作レバー９４を操作しなければならないが、この操作レバー９４を操作することにより玉抜き動作も同時に行われることとなる。このような状況を防止するために玉抜き動作を行う操作レバーと係合解除を行う操作レバーとを別々に設けても良い。
【００２９】
上記した取付板部材８１の前面に取り付けられる合成樹脂製の皿部材１２０は、前方から下部を構成する外皿部材１２１と、打玉を貯留する玉貯留部１２５が形成される内皿部材１２４と、外皿部材１２１と内皿部材１２４との上部間隔を閉塞する上面カバー部材１２２とから構成されている。そして、外皿部材１２１と上面カバー部材１２２と内皿部材１２４とを組み付けた状態で前記取付板部材８１の前面に固定するようになっている。なお、本実施例においては、上部カバー部材１２２は、その一部を着脱交換可能な透光性カバー１２３として構成されているが、この透光性カバー１２３として、スイッチや表示器を具備するものと具備しないものとを用意することにより、近年普及しつつあるプリペイドカード式の玉貸装置が付設された弾球遊技機にも、あるいは付設されない弾球遊技機にも容易に対応させることができる。
【００３０】
（１−６）枠基体への透明板保持枠及び前面上皿装置の取付構造
上記した透明板保持枠５０及び前面上皿装置８０の枠基体２への取付構造について説明すると、まず、前記ヒンジ取付凹部２７，２８は、それぞれ金属製のヒンジ部材１９，２０を止着する領域である。ヒンジ取付凹部２８（以下、中ヒンジ取付凹部２８という）に止着されるヒンジ部材１９（以下、中ヒンジ部材１９という）は、Ｌ字型に形成され、その水平面にヒンジピン１９ａが上下に貫通するように固着されている。ヒンジ取付凹部２７（以下、下ヒンジ取付凹部２７という）に止着されるヒンジ部材２０（以下、下ヒンジ部材２０という）は、Ｌ字型に形成され、その水平面に係合穴２０ａが形成されている。また、枠基体２の軸支側上部にもヒンジ部材１８（以下、上ヒンジ部材１８という）が止着されるが、この上ヒンジ部材１８は、枠基体２の裏面側から止着されるようになっている。また、上ヒンジ部材１８には、枠基体２の前面に当接し且つ係合穴２９ａを有するヒンジ支持部２９と、枠基体２に対して垂直方向に突設される水平面の下方に向かって突設されるヒンジピン１８ａと、を備えて構成されるものである。
【００３１】
上記したヒンジ部材１８，１９，２０には、透明板保持枠５０と前面上皿装置８０の取付板部材８１とが開閉自在且つ着脱自在に取り付けられるものである。具体的には、まず、透明板保持枠５０の着脱構造について説明すると、透明板保持枠５０の軸支側上端には、ヒンジピン６８がスプリング６９の付勢力により上方に付勢されており、また、軸支側下端裏面には、係合穴７０ａを有する軸支部材７０がビスで止着されている。しかして、下部の軸支部材７０の係合穴７０ａに中ヒンジ部材１９のヒンジピン１９ａの上部突設側に差し込んだ状態で上端のヒンジピン６８を付勢力に抗して押し下げてヒンジ支持部２９の係合穴２９ａに差し込むことにより、透明板保持枠５０が枠基体２に開閉自在に軸支される。逆に、透明板保持枠５０を取り外す場合には、図示しない切欠から例えば目通しを差し込んでヒンジピン６８を押し下げて係合穴２９ａからヒンジピン６８を抜き出した後に全体を持ち上げて係合穴７０ａをヒンジピン１９ａから外すことにより簡単に行うことができる。
【００３２】
次に、前面上皿装置８０の取付板部材８１の着脱構造について説明すると、取付板部材８１の軸支側上下端には、図３に示すように、係合穴１１９ａと図示しないスプリングにより下方に付勢される軸支ピン１１９ｂとが設けられている。しかして、上端の係合穴１１９ａを中ヒンジ部材１９のヒンジピン１９ａの下部突設側に差し込み、その状態で下部の軸支ピン１１９ｂをスプリングの付勢力に抗して持ち上げて下ヒンジ部材２０の係合穴２０ａに差し込むことにより、前面上皿装置８０の取付板部材８１が枠基体２に開閉自在に軸支される。逆に、取付板部材８１を取り外す場合には、スプリングの付勢力に抗して軸支ピン１１９ｂを持ち上げて係合穴２０ａから外し、その後、全体を下方に引き下げてヒンジピン１９ａから係合穴１１９ａを引き抜くことにより簡単に行うことができる。
【００３３】
このように、透明板保持枠５０や前面上皿装置８０の取付板部材８１を枠基体２に対して開閉自在であり且つ着脱自在に設けたので、弾球遊技機１の工場における組付作業や遊技場における点検作業時を簡単に行うことができる。特に、本実施例のように、透明板保持枠５０に電装部品を備えたものにあっては、電装部品等の故障に基づく修理・交換が必要となることが予想され、そのように予想される場合において、従来の透明板保持枠が着脱できない構造のものに比べて、透明板保持枠５０を取り外すことができるので、修理・交換を簡単に行うことができる。また、上記した透明板保持枠５０の開放側の施錠は、外枠３０に対する施錠を同時に行う施錠装置２００によって行われるが、前面上皿装置８０の開放側の施錠は、取付板部材８１の開放側裏面に取り付けられる図示しない錠装置によって行われる。
【００３４】
（１−７）下皿
枠基体２の前面枠部分の下方部分は、板状に形成されており、その前面のほぼ全域に係合凹部１５が刻設されている。この係合凹部１５は、次に説明する下皿１３０やハンドル装置１５０を組み付け固定する際に一応の位置決めを行うものであり、組付作業の容易化を図ることができるものである。また、係合凹部１５には、そのほぼ中央に下皿連通口１６が、その開放側よりの側部にハンドル作動開口１７がそれぞれ開設形成されている。下皿連通口１６に対応して下皿１３０が取り付けられるが、その下皿１３０は、詳細に図示しないが複数の部材を組み立てた状態でセット化されて枠基体２の下部中央に止着固定されているものであり、図３に示すように、多量の玉を貯留し得る貯留部１３４を有するように形成されている。また、枠基体２への止着構造は、セット化された下皿１３０の裏面に取付ネジ１３２を後方に向けて複数本設け、その取付ネジ１３２を枠基体２に穿設された取付穴２２に貫通させて枠基体２の裏面から図示しないナットを螺着することにより固定する。なお、下皿１３０の裏面であって前記貯留部１３４の左右には、位置決め片１３３が突設されており、この位置決め片１３３を枠基体２に形成された位置決め穴２３に差し込むことにより、下皿連通口１６と下皿１３０の貯留部１３４との接続状態を確実に確保することができると共に下皿１３０の取付作業の容易化を図ることができる。なお、図示の実施例における下皿１３０には、その前面壁内に玉抜き操作レバー１３１が設けられ、これを操作することにより、貯留部１３４の底面の開口（図示しない）が開放されて貯留部１３４に貯留されていた打玉を下方（通常、玉箱が設置される）に落下せしめることができる。このように、図示の実施例においては、玉抜き操作レバー１３１を下皿１３０の前面壁の中央に内蔵して設けたので、従来のように操作レバーを下皿の底面に沿って設けたものに比較して外部からのイタズラによって故障せしめられることが少なくなるという利点がある。
【００３５】
（１−８）灰皿
上記した下皿１３０の隣接した位置であって前記係合凹部１５の端部よりには、灰皿１３９が設けられるが、この灰皿１３９は、枠基体２の下部前面に固着され且つ灰皿１３９を収納する凹部が形成された灰皿取付枠１３５に回転自在に取り付けられるものである。即ち、灰皿取付枠１３５は、その裏面に複数の取付ネジ１３６が後方に向かって突設され、枠基体２に穿設された取付穴２１に取付ネジ１３６を貫通させた後に、裏面から図示しないナットで締着することにより灰皿取付枠１３５を枠基体２に固着する。このように固着された灰皿取付枠１３５に対して灰皿１３９を凹部に収納した状態で、灰皿取付枠１３５の前端部に形成される取付穴１３７及び灰皿１３９の前方上部に形成される支点穴１４０に支点棒１３８を側方から差し込んで固定することにより、灰皿１３９を回転自在に装着し得るものである。
【００３６】
（１−９）ハンドル装置
また、前記ハンドル作動開口１７に対応してハンドル装置１５０が装着される。ハンドル装置１５０は、前記前面上皿装置８０の側壁から装飾的に連続する取付板部材１５１に所謂ハンドルが突設されて構成されるものであり、その突設されるハンドルは、取付板部材１５１に直接的に固定される外固定部１５２と該外固定部１５２の前面側に固定される内固定部１５４と外固定部１５２と内固定部１５４との間で回動自在に設けられる可動部１５３とから構成されている。また、取付板部材１５１の裏面には、複数の取付ネジ１５５と位置決め突起１５６とが後方に向かって突設されており、取付ネジ１５５をハンドル作動開口１７の周囲に穿設される取付穴２４に差し込んで裏面から発射装置の取付板部材と共締めするようにナットで締着することにより、取付板部材１５１が枠基体２に固定される。なお、位置決め突起１５６は、ハンドル作動開口１７を貫通して対面する発射装置の取付板部材と係合して相互の全体的な位置決めを行うものである。また、ハンドル作動開口１７の側方には、配線通し穴２５が形成されているが、これは、ハンドル装置１５０内に設けられるスイッチ（メインスイッチやタッチセンサ）の配線を枠基体２の裏面側に導くものである。
【００３７】
上記のように構成されるハンドル装置１５０においては、可動部１５３を回動せしめることにより、その回動操作が発射装置側に伝達されて発射装置の打球槌の発射勢を変化させることができる。このため、可動部１５３を所望の位置まで回動させた状態を保持することにより、打玉を一定の速度で弾発することが可能となる。なお、図示の実施例におけるハンドル装置１５０は、取付板部材１５１（又は枠基体２）に対して垂直方向に突設されているわけではなく、やや外側に傾斜した状態で突設されている。これは、遊技者がハンドルを操作する際に手首を不自然に折り曲げた状態ではなく自然な状態にしたままでハンドルを握ることができるように配慮した設計であり、長時間の遊技を行っても疲れないようにしたものである。
【００３８】
（２）施錠装置
弾球遊技機１の概の構成は、上記した通りであるが、以下には、本実施例の要部を構成する施錠装置２００の構成について図７乃至図１５を参照して説明する。図７は、施錠装置２００の分解斜視図であり、図８は、施錠装置２００を構成
する取付基板２０１の側面図・背面図であり、図９は、取付基板２０１に摺動自在に取り付けられる第１可動部材２０８の上下の係止部２０９の正面図・側面図であり、図１０は、取付基板２０１に摺動自在に取り付けられる第２可動部材２２０の正面図・側面図であり、図１１は、枠基板２への取付状態を示す部分背面図であり、図１２は、第１可動部材２０８の動作を示す背面図であり、図１３は、第２可動部材２２０の動作を示す背面図であり、図１４及び図１５は、透明板保持枠５０側に設けられる係合フック部６４と施錠装置２００との関係を示す断面図である。なお、この施錠装置２００は、前述したように透明板保持枠１００の施錠ばかりでなく、枠基体２の外枠３０に対する施錠をも行うことができる、いわゆるＷ錠となっている。
【００３９】
まず、施錠装置２００の構造について図７を中心にして説明する。施錠装置２００は、断面Ｌ字型に形成される取付基板２０１に集約して形成される。即ち、図７及び図８に示すように、取付基板２０１の一方辺は、枠基体２の裏面に突設される取付ボス（図示しない）に止着される取付面２０１ａであり、該取付面２０１ａに直角状となっている他方辺は、第１可動部材２０８が摺接する摺接面２０１ｂとなっている。しかして、取付面２０１ａ上端から下端にかけて取付ボスに止着するための取付穴２０２が適宜間隔をおいて穿設されると共に、取付面２０１ａの下方寄りには、錠挿入口２０３が開設されている。この錠挿入口２０３には、錠部材としてのシリンダー錠２１９を内蔵している錠ホルダー２１８が取り付けられるようになっているが、この取付は、錠挿入口２０３の上下に形成される錠取付穴２０４に錠ホルダー２１８をビスで止着することにより行われる。また、シリンダー錠２１９の後端には、第１作動突起２３０と第２作動突起２３１とが二股状に設けられる作動部材２２９が固着されている。第１作動突起２３０は、後述する第２可動部材２２０の係合部２２８と係合して第２可動部材２０８を下降せしめ、第２作動突起２３１は、後述する第１可動部材２０８の係合凹部２１４と係合して第１可動部材２０８を上昇せしめる。なお、作動部材２２９には、第１作動突起２３０の基部に押圧ピン２４２が突設され、図１３（Ｂ）に示すように、作動部材２２９の回動時に第２可動部材２２０が変形して内側に入り込まないようにしている。また、作動部材２２９のシリンダー錠２１９への固着は、作動部材２２９に穿設された支点穴２３２をシリンダー錠２１９の後端中心軸に対応させてビスで止着することにより行われる。更に、取付面２０１ａには、その上端部と中央よりやや下方に長方形状の連通口２０６が開設されている。この連通口２０６には、透明板保持枠５０の開放側に設けられる係合フック部６４が貫通するものである。また、取付面２０１ａの上部には、枠基体２の開放側裏面に突設される位置決め突起２３８と係合する位置決め穴２３７も穿設されている。
【００４０】
一方、摺接面２０１ｂの中央よりやや上部には、操作開口２０５が開設されている。この操作開口２０５には、第２可動部材２２０の中程側縁から後方に向かって突設される操作レバー２２１が引き出されるものであり、引き出された操作レバー２２１の基部内側面の摺動面２２２と摺接面２０１ｂの一部を延設した外側の摺動面２２３とが摺動するようになっている。更に、摺接面２０１ｂの上下には、楕円形状の規制長穴２０７が開設されている。この規制長穴２０７は、第１可動部材２０８の上下の係止部を連結するリベット２１５が貫通して第１可動部材２０８の上下方向のスライド量を規制するようになっている。なお、摺接面２０１ｂの端縁には、図８（Ｂ）に示すように、上下２つの折曲片２３９と該折曲片２３９間に存在する規制突片２４１とが取付面２０１ａと平行状となるように突設されて第１可動部材２０８を挾持するように案内すると共に、折曲片２３９には、案内溝２４０が形成されて、第１可動部材２０８の係止部２０９が侵入し得るようになっている。
【００４１】
上記した取付基板２０１の摺接面２０１ｂの内側面には、第１可動部材２０８が当接しながら上下動可能に設けられるが、この第１可動部材２０８は、その上下にフック状の係止部２０９が設けられる。この係止部２０９は、図７及び図９に示すように、杆状の可動部材本体２０８と取付穴２１６，２１７を介してリベット２１５で連結されるようになっているが、そのリベット２１５による連結は、可動部材本体２０８と係止部２０９との取付穴２１６，２１７を規制長穴２０７に合致させた状態で取付基板２０１の摺接面２０１ｂの外側面方向からリベット２１５を差し込んで樫めることにより行い、リベット２１５の頭部が規制長穴２０７の外側に位置するようにして第１可動部材２０８が取付基板２０１に対して上下動可能なように取り付けられている。また、係止部２０９の先端は、係止部２０９に向けて傾斜する誘導傾斜部２１０となっているが、これは、枠基体２を押して閉じるときに外枠３０の内側上下に固定される係止金具３１と当接案内しながら最終的に係止部２０９と係止金具３１とを係合させるためのものである。なお、下方の誘導傾斜部２１０には、側方に突出する操作部２３４が突設されており、手の操作で第１可動部材２０８を上昇せしめるときに使用するものである。また、第１可動部材２０８を取付基板２０１の摺接面２０１ｂの内側面に取り付けたときには、係止部２０９に形成されたスプリング取付部２１２と取付面２０１ａの裏面に設けられたスプリング取付部２１１との間にスプリング２１３が差し渡され、常に第１可動部材２０８を下方に付勢している。更に、第１可動部材２０８を取付基板２０１に取り付けた状態では、下方の係止部２０９のやや上方に形成される係合凹部２１４の上端縁の下方に前記第１作動突起２３０が位置している。
【００４２】
また、取付基板２０１の取付面２０１ａの内側面には、第２可動部材２２０が当接しながら上下動可能に設けられるが、この第２可動部材２２０は、図７及び図１０に示すように、第２可動部材２２０の上部及び中央部に穿設された規制長穴２２７の外側からリベット２１５を差し込んで該リベット２１５の先端を取付面２０１ａに形成された取付穴２３６に嵌着することにより、取付基板２０１に対して規制長穴２２７の範囲内で上下方向に移動可能に取り付けられるものである。また、第２可動部材２２０には、前記連通口２０６に対応する位置に係合開口２３３が開設されている。この係合開口２３３は、透明板保持枠５０側に設けられる係合フック部６４との係脱を行うものである。更に、前述したように第２可動部材２２０の中程には、操作レバー２２１が後方に向けて突設され、また、下端に摺接面２０１ｂと当接する方向に取り付けられる係合部２２８が連結されている。このように構成された第２可動部材２２０をリベット２１５で取付基板２０１に取り付けた状態では、第２可動部材２２０に形成されたスプリング取付部２２４と取付面２０１ａに形成されたスプリング取付部２２５との間にスプリング２２６が差し渡されて常に第２可動部材２２０を上方に付勢していると共に、下端の係合部２２８の上部に前記第２作動突起２３１が位置した状態となっている。なお、前記係合開口２３３の上部開口縁の裏側には、図１５に示すように、係合フック部６４の傾斜上辺６４ｂと当接しながら係合フック部６４を前方に押し出す作用を行う湾曲状の誘導部２３５が形成されている。
【００４３】
上記のように構成される施錠装置２００は、前記したように、取付穴２０２を枠基体２の開放側裏面に突設される図示しない取付ボスに対応させてビスを螺着することにより最終的に固着されるが、その前に、図１１（Ａ）に示すように、枠基体２に突設される位置決め突起２３８に取付基板２０１の取付面２０１ａに穿設される位置決め穴２３７を差し込み、更に、図１１（Ｂ）に示すように、シリンダー錠２１９を枠基体２に形成される鍵穴１４に差し込むことにより、上下２か所で位置決めを行い、その後、取付穴２０２にビスを螺着することにより、施錠装置２００の取付作業の簡易化を図ることができる。
【００４４】
上記のように構成される施錠装置２００の作用について簡単に説明する。まず、外枠３０に対する枠基体２の解錠及び施錠について図１２を参照して説明すると、遊技場の店員がシリンダー錠２１９に図示しない所定の鍵を差し込んで時計回転方向に回すと、作動部材２２９も時計回転方向（図１２では、背面から見ているため、反時計回転方向）に回動する。すると、図１２（Ｂ）に示すように、第２作動突起２３１と係合凹部２１４とが係合してスプリング２１３の付勢力に抗して第１可動部材２０８を上昇させるので、係止部２０９も上昇する。このため、係止部２０９と外枠３０の係止金具３１との係合位置関係が外れるので、その状態でシリンダー錠２１９に鍵を差し込んだままの鍵を引っ張ることにより枠基体２全体を回動させて開放することができる。一方、開放した枠基体２を閉じるときには、そのまま枠基体２を押し込むことにより係止部２０９の誘導傾斜部２１０と係止金具３１との当接により第１可動部材２０８がスプリング２１３の付勢力に抗して上昇し、遂には、係止部２０９が係止金具３１と係合する位置でスプリング２１３の付勢力により第１可動部材２０８が下降して係止部２０９と係止金具３１とが完全に施錠された状態となる。
【００４５】
次に、枠基体２に対する透明板保持枠５０の解錠及び施錠について図１３乃至図１５を参照して説明すると、遊技場の店員がシリンダー錠２１９に図示しない所定の鍵を差し込んで反時計回転方向に回すと、作動部材２２９も反時計回転方向（図示では背面から見ているため時計回転方向）に回動する。すると、第１作動突起２３０と係合部２２８とが係合してスプリング２２６の付勢力に抗して第２可動部材２２０を下降させるので、係合開口２３３も下降する。このため、図１５に示す係合開口２３３と係合フック部６４との係合状態から係合開口２３３の上昇により係合フック部６４の上部傾斜辺６４ｂと誘導部２３５との作用により係合フック部６４が前方に押し出されて透明板保持枠５０の係合が解除されて自然に透明板保持枠５０が所定角度だけ前方に飛び出す。これにより僅かに開放している透明板保持枠５０の開放側の一部を持って引き出すことにより極めて容易に開放することができる。一方、開放した透明板保持枠５０を閉じるときには、そのまま透明板保持枠５０を押し込むことにより係合フック部６４が枠基体２に形成されたフック連通穴１３を貫通して施錠装置２００の連通口２０６に侵入し、上昇している第２可動部材２２０の係合開口２３３の一部に侵入する。その状態でさらに押し込むことにより係合フック部６４の先端下辺の傾斜部６４ａと係合開口２３３との当接により第２可動部材２２０がスプリング２２６の付勢力に抗して下降し、遂には、係合開口２３３が係合フック部６４と係合する位置でスプリング２２６の付勢力により第２可動部材２２０が上昇して係合フック部６４と係合開口２３３とが完全に施錠された状態となる。なお、透明板保持枠５０を解錠する場合には、枠基体２を開放した状態で操作レバー２２１を押し下げることによっても行うことができる。また、外枠３０には、透明板保持枠５０を閉じた状態で係合フック部６４の先端が当接しないように回避部３４が形成されている。
【００４６】
また、本実施例においては、施錠装置２００の錠部材としてのシリンダー錠２１９が透明板保持枠５０の下方であって枠基体２の開放側の端部に形成される鍵穴１４に臨ませたので、透明保持枠５０の開放位置と鍵の操作位置とが上下段差状となって異なることとなり、透明板保持枠５０の開放時鍵を操作している転移透明板保持枠５０が当ることがなく、透明板保持枠５０の開放操作性を高めることができる。
【００４７】
なお、図１６に示すように、透明板保持枠５０の下部係止フック７８と係合するスライド板９９ａを上記した施錠装置２００の第２可動部材２２０とクランク部材２５０を介して連結し、鍵で第２可動部材２２０を下降させたときに支点２５１によって回動するクランク部材２５０によってスライド板９９ａを図１６に示す矢印方向に移動せしめて係合穴１００ａと下部係止フック７８（ただし、図１６には、図示しない）との係合を解除するように構成しても良い。このように構成することにより、透明板保持枠５０の開放側端部と下部とが施錠装置２００の操作によって同時に開放されるので、透明板保持枠５０の開放操作性をさらに高めることができる。もちろん、透明板保持枠５０の下部の防犯構造が十分であれば、透明板保持枠５０の下部を下部係止フック７８で必ずしも施錠する必要はなく、この場合には、図６に示すような構造もあるいは図１６に示すような構造も採用する必要はない。
【００４８】
【発明の効果】
以上、説明したところから明らかなように、本発明においては、透明板保持枠の横幅寸法を枠基体の横幅寸法とほぼ同じとなるように形成すると共に、透明板保持枠の下方であって枠基体の開放側端部に施錠装置の鍵を挿入操作し得る錠部材を臨ませたので、透明板保持枠の開放位置と鍵の操作位置とが上下段差状となって異なることとなり、透明保持枠の開放時に鍵を操作している手に透明保持枠が当ることがなく、操作性を高めることができる。そして、少なくとも透明板保持枠の解錠操作時に、係合開口の開口縁に湾曲状に形成される誘導部が第２可動部材のスライド移動に伴って係合フック部に形成される傾斜辺と当接しながら透明板保持枠を開放する方向に押し出すようにしたことにより、さらに透明板保持枠の開放操作を簡単に行う点で有利である。
【図面の簡単な説明】
【図１】  実施例に係る弾球遊技機の正面図である。
【図２】  枠基体及び透明板保持枠を開放した状態であって透明板保持枠から複層ガラスセットを取り外した状態を示す弾球遊技機の斜視図である。
【図３】  枠基体の分解斜視図である。
【図４】  透明板保持枠の背面から見た分解斜視図である。
【図５】  前面上皿装置の正面分解斜視図である。
【図６】  透明板保持枠の下部における施錠・解錠状態を示す概略断面図である。
【図７】  施錠装置の分解斜視図である。
【図８】  施錠装置を構成する取付基板の側面図・背面図である。
【図９】  取付基板に摺動自在に取り付けられる第１可動部材の上下の係止部の正面図・側面図である。
【図１０】  取付基板に摺動自在に取り付けられる第２可動部材の正面図・側面図である。
【図１１】  枠基板への施錠装置の取付状態を示す部分背面図である。
【図１２】  第１可動部材の動作を示す背面図である。
【図１３】  第２可動部材の動作を示す背面図である。
【図１４】  透明板保持枠側に設けられる係合フック部と施錠装置との関係を示す断面図である。
【図１５】  同じく透明板保持枠側に設けられる係合フック部と施錠装置との関係を示す断面図である。
【図１６】  施錠装置と透明板保持枠の下部を施錠するスライド板との他の関係を示す弾球遊技機の概略正面図である。
【符号の説明】
１  弾球遊技機
２  枠基体
４  遊技盤収納枠
３０  外枠
３１  係止金具
４０  遊技盤
５０  透明板保持枠
５１  主枠構成部材
５２  第１装飾部材
５３  遊技開口
６４  係合フック部
７８  下部係止フック
８０  前面上皿装置
９４  操作レバー
９９  スライド板
１００  係合穴
１２０  皿部材
１３０  下皿
１３９  灰皿
１５０  ハンドル装置
２００  施錠装置
２０１  取付基板
２０８  第１可動部材
２０９  係止部
２１０  誘導傾斜部
２１３  スプリング
２１４  係合凹部
２１８  錠ホルダー
２１９  シリンダー錠（錠部材）
２２０  第２可動部材
２２１  操作レバー
２２６  スプリング
２２８  係合部
２２９  作動部材
２３０  第１作動突起
２３１  第２作動突起
２３３  係合開口
２３５  誘導部
【図１】
0003735368.tif 000002
【図２】
0003735368.tif 000003
【図３】
0003735368.tif 000004
【図４】
0003735368.tif 000005
【図５】
0003735368.tif 000006
【図６】
0003735368.tif 000007
【図７】
0003735368.tif 000008
【図８】
0003735368.tif 000009
【図９】
0003735368.tif 000010
【図１０】
0003735368.tif 000011
【図１１】
0003735368.tif 000012
【図１２】
0003735368.tif 000013
【図１３】
0003735368.tif 000014
【図１４】
0003735368.tif 000015
【図１５】
0003735368.tif 000016
【図１６】
0003735368.tif 000017